(57)【要約】【課題】生体に好影響を与えることが注目されているマイナスイオンを効果的に発生する電気掃除機を提供することにある。【解決手段】掃除機本体１に回動自在に支持される前車輪６及び後車輪７の少なくとも床面への接地部分を、マイナスイオンを発生させる物質であるトルマリンを含有する材料にて形成する。或いは、前車輪６及び後車輪７の少なくとも床面への接地部分に、マイナスイオンを発生させる物質であるトルマリンを含有する塗料を塗布する。【選択図】  図１
2004298317.tif 000002
【特許請求の範囲】
【請求項１】
電動送風機を収納する電動送風機室及び集塵室を有する掃除機本体と、該掃除機本体に回動自在に支持される走行車輪とを備え、前記走行車輪の少なくとも床面への接地部分を、マイナスイオンを発生させる物質を含有する材料にて形成したことを特徴とする電気掃除機。
【請求項２】
電動送風機を収納する電動送風機室及び集塵室を有する掃除機本体と、該掃除機本体に回動自在に支持される走行車輪とを備え、前記走行車輪の少なくとも床面への接地部分に、マイナスイオンを発生させる物質を含有する塗料を塗布したことを特徴とする電気掃除機。
【請求項３】
電動送風機を収納する電動送風機室及び集塵室を有する掃除機本体と、該掃除機本体に回動自在に支持される走行車輪とを備え、前記走行車輪と掃除機本体の少なくともいずれか一方の走行車輪と掃除機本体との接触部分を、マイナスイオンを発生させる物質を含有する材料にて形成したことを特徴とする電気掃除機。
【請求項４】
電動送風機を収納する電動送風機室及び集塵室を有する掃除機本体と、該掃除機本体に回動自在に支持される走行車輪とを備え、前記走行車輪と掃除機本体の少なくともいずれか一方の走行車輪と掃除機本体との接触部分に、マイナスイオンを発生させる物質を含有する塗料を塗布したことを特徴とする電気掃除機。
【請求項５】
電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、前記車輪は、少なくとも前記接触部が接触する部分を、マイナスイオンを発生させる物質を含有する材料にて形成したことを特徴とする電気掃除機。
【請求項６】
電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、該接触部は、少なくとも前記車輪に接触する部分を、マイナスイオンを発生させる物質を含有する材料にて形成したことを特徴とする電気掃除機。
【請求項７】
電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、前記車輪は、少なくとも前記接触部が接触する部分に、マイナスイオンを発生させる物質を含有する塗料を塗布したことを特徴とする電気掃除機。
【請求項８】
電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、該接触部は、少なくとも前記車輪に接触する部分を、マイナスイオンを発生させる物質を含有する塗料を塗布したことを特徴とする電気掃除機。
【請求項９】
前記接触部を車輪によって被われる位置に配設したことを特徴とする請求項５から請求項８のいずれかに記載の電気掃除機。
【請求項１０】
前記マイナスイオンを発生させる物質として、トルマリンを用いたことを特徴とする請求項１から請求項８のいずれかに記載の電気掃除機。
【発明の詳細な説明】
【０００１】
【産業上の利用分野】
本発明は、電気掃除機に関し、特に、マイナスイオンを供給し得る電気掃除機に関する。
【０００２】
【従来の技術】
従来、電気掃除機は、衣類や寝具等の繊維、人間やペットの毛、カビやダニ、花粉などの塵埃等を効率よく集塵することを課題として様々な工夫がなされてきた。
【０００３】
しかしながら、電気掃除機は、掃除目的以外には、利用されていないのが実状である。
【０００４】
近年、マイナスイオンが生理作用を活性化し、生体に対して好影響を与えることが注目されている。
【０００５】
そこで、電気掃除機の排気にマイナスイオンを付加することが考えられる。マイナスイオンの発生方法としては、特許文献１に記載された構成のように、対向する電極間に高電圧を印加して放電させる方法が知られている。
【０００６】
この方法を電気掃除機に採用した場合には、マイナスイオンの発生と合わせて、人体に有害なオゾンが発生すると共に、電極や高電圧電源等を必要とし、装置が大型化し、高価となるなどの問題があった。
【０００７】
【特許文献１】
特開２００２−２２４２１１号公報
【０００８】
【発明が解決しようとする課題】
本願は、上記問題点に鑑みなされたもので、生体に好影響を与えることが注目されているマイナスイオンを効果的に発生させる電気掃除機を提供することを課題とする。
【０００９】
【課題を解決するための手段】
本発明の第１の手段は、電動送風機を収納する電動送風機室及び集塵室を有する掃除機本体と、該掃除機本体に回動自在に支持される走行車輪とを備え、前記走行車輪の少なくとも床面への接地部分を、マイナスイオンを発生させる物質を含有する材料にて形成したことを特徴とする。
【００１０】
本発明の第２の手段は、電動送風機を収納する電動送風機室及び集塵室を有する掃除機本体と、該掃除機本体に回動自在に支持される走行車輪とを備え、前記走行車輪の少なくとも床面への接地部分に、マイナスイオンを発生させる物質を含有する塗料を塗布したことを特徴とする。
【００１１】
本発明の第３の手段は、電動送風機を収納する電動送風機室及び集塵室を有する掃除機本体と、該掃除機本体に回動自在に支持される走行車輪とを備え、前記走行車輪と掃除機本体の少なくともいずれか一方の走行車輪と掃除機本体との接触部分を、マイナスイオンを発生させる物質を含有する材料にて形成したことを特徴とする。
【００１２】
本発明の第４の手段は、電動送風機を収納する電動送風機室及び集塵室を有する掃除機本体と、該掃除機本体に回動自在に支持される走行車輪とを備え、前記走行車輪と掃除機本体の少なくともいずれか一方の走行車輪と掃除機本体との接触部分に、マイナスイオンを発生させる物質を含有する塗料を塗布したことを特徴とする。
【００１３】
本発明の第５の手段は、電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、前記車輪は、少なくとも前記接触部が接触する部分を、マイナスイオンを発生させる物質を含有する材料にて形成したことを特徴とする。
【００１４】
本発明の第６の手段は、電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、該接触部は、少なくとも前記車輪に接触する部分を、マイナスイオンを発生させる物質を含有する材料にて形成したことを特徴とする。
【００１５】
本発明の第７の手段は、電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、前記車輪は、少なくとも前記接触部が接触する部分に、マイナスイオンを発生させる物質を含有する塗料を塗布したことを特徴とする。
【００１６】
本発明の第８の手段は、電動送風機を収納する電動送風機室及び集塵室を有する掃除機本体と、該掃除機本体に回動自在に支持される走行車輪とを備え、前記掃除機本体に、車輪の回転に伴って車輪に接触する接触部を設け、該接触部は、少なくとも前記車輪に接触する部分を、マイナスイオンを発生させる物質を含有する塗料を塗布したことを特徴とする。
【００１７】
前記接触部を車輪によって被われる位置に配設することが好ましい。
【００１８】
前記マイナスイオンを発生させる物質として、トルマリンを用いることが好ましい。
【００１９】
【発明の実施の形態】
本発明の第１の実施の形態を図１に基づいて以下に詳述する。図１は掃除機本体の外観斜視図、図２は掃除機本体の要部拡大断面図である。
【００２０】
１は下ケース２、上ケース３、上ケース３の後方上部を覆うカバー体４、下ケース２前方を被う蓋体５からなる掃除機本体で、前方に下ケース２と蓋体５により図示しない集塵室を形成すると共に、後方には図示しない電動送風機室を形成している。
【００２１】
６は前記掃除機本体１の下面前方に回動自在に軸支された前車輪、７は前記掃除機本体１の両側に回動自在に軸支された後車輪である。
【００２２】
８は前記掃除機本体１の下ケース２から外側に向けて延設された環状の外側リブで、該外側リブ８は、下ケース２の下側略半分が下ケース２との間に間隔を有している。９は前記下ケース２の外側リブ８の内側位置から外側に向けて延設される環状の内側リブで、外側リブ８と内側リブ９とは連結部１０にて連結され、複数箇所に係止孔１１を形成している。前記下ケース２の内側リブ９にて囲まれる位置に排気口１２が形成されている。
【００２３】
１３は前記環状の外側リブ８の下側部分に装着される半円状の当接部材で、低摩擦抵抗性材料、本実施形態では、ジュラコンにて形成されており、前記後車輪７が外側リブ８及び当接部材１３にて軸支される。１４は前記連結部１０の係止孔１１に爪１４ａが係止されて排気口１２を被うように装着されるキャップで、多数の排気孔が形成され、キャップ１４の外周部分により後車輪７の掃除機本体１からの抜け止めを行うようになっている。
【００２４】
前記前車輪６及び外車輪７は、例えばゴムや発泡樹脂などの弾力性を有する材料にて形成されており、本実施形態では、弾力性を有する素材としてゴムを用い、このゴムに天然放射性物質であるトルマリンを含有した材料を用いている。
【００２５】
而して、掃除を行う際等に掃除機本体１を移動させると、前後車輪６、７が回転し、回転に伴う床面との接触による衝撃、及び掃除機本体１の外側リブ８及び当接部材１３との摩擦による衝撃により、前後車輪６、７の含有するトルマリンからマイナスイオンが放出される。特に、後車輪７から放出されたマイナスイオンは、排気によって効率よく拡散される。
【００２６】
上記実施の形態では、前後車輪６、７としてトルマリンを含有したゴムを用いたが、床面との接地部分、即ち、外周部分のみにトルマリンを含有した材料を用いてもよい。
【００２７】
また、前後車輪６、７の少なくとも床面との接地部分に、トルマリンを含有する塗料を塗布してもよい。
【００２８】
本発明の他の実施の形態として、後車輪７と掃除機本体１との接触部分である当接部材１３として、低摩擦抵抗材料にトルマリンを含有した材料を用いてもよく、また、当接部材１３の後車輪７との当接部分にトルマリンを含有する塗料を塗布してもよい。本実施形態においては、後車輪７と当接部材１３との摩擦による衝撃によりトルマリンからマイナスイオンが放出され、排気によって効率よく拡散される。
【００２９】
更に本発明の他の実施の形態を、図３に基づいて詳述する。
【００３０】
１５は後車輪７の掃除機本体１側に、全周に亘って環状に設けた第１の起毛部材、１６は前記起毛部材１５に対向して掃除機本体１の下ケース２に設けた第２の起毛部材で、起毛部材１５、１６は、トルマリンを含有させた合成樹脂を材料としている。
【００３１】
この実施形態においても、後車輪７の回転に伴う起毛部材１５、１６の接触による衝撃によりトルマリンからマイナスイオンが放出され、排気よって効率よく拡散される。
【００３２】
この実施形態のおいては、起毛部材１５、１６に、トルマリンを含有させた合成樹脂を用いたが、トルマリンを含有させた塗料を塗布してもよい。
【００３３】
【発明の効果】
本発明の構成によれば、掃除操作等に伴う車輪の回転により、効率よくマイナスイオンを発生させて部屋内に拡散させることができる等の効果を奏する。
【図面の簡単な説明】
【図１】本発明の一実施の形態を示す掃除機本体の側面図である。
【図２】同掃除機本体の要部拡大断面図である。
【図３】同他の実施形態を示す掃除機本体の要部拡大断面図である。
【符号の説明】
１      掃除機本体
６      前車輪（走行車輪）
７      後車輪（走行車輪）
１３      当接部材
１５      第１の起毛部材
１６      第２の起毛部材
【図１】
2004298317.tif 000003
【図２】
2004298317.tif 000004
【図３】
2004298317.tif 000005